【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
中心コアの外側には内磁石を、外筒の塩ビパイプの内側には外磁石を、前記中心コアの外側の内磁石から外筒の塩ビパイプの内側の外磁石への磁力線が、飲料水の通水路に対して直角に作用するように配置するとともに、極性は前記中心コアの外側の内磁石、外筒の塩ビパイプの内側の外磁石共にＮ極、Ｓ極を交互に配置し、前記内磁石及び外磁石の両端に磁性体リングを設けたことを特徴とする飲料水用磁気活水器。
【手続補正２】
【補正対象書類名】明細書
【補正対象項目名】全文
【補正方法】変更
【補正の内容】
【発明の詳細な説明】
【発明の名称】飲料水用磁気活水器
【技術分野】
【０００１】
本発明は、飲料水の水質を改善する飲料水用磁気活水器に関する発明である。
【背景技術】
【０００２】
従来の水質改善方法には、電気分解法によるアルカリイオン水、水中の塩素及び異物を活性炭に吸着させた活性炭処理水、逆浸透膜を使用するによる精製水等がある。しかし、異物を除去するにとどまり、水質そのものを改善するものではなかった。磁気利用の浄水器は、特許文献１で公開されたものがあるが、簡易型水処理装置のため磁気効果を有効に活用されたものとは言いがたい。
【０００３】
【特許文献１】特開平２−１３１１８６号公報
【発明の開示】
【発明が解決しようとする課題】
【０００４】
特許文献１の簡易型水処理装置は、文字通り取り付けが簡単な浄水器ではあるが、構造上対応する磁石間の距離が大きすぎ、磁力の持っている浄水効果を発揮していることは疑問視される。本発明は、この問題に着目して、より効果的な磁気活水器を開発すべくなされたものである。
【課題を解決するための手段】
【０００５】
上記の課題は、構造上対応する磁石（ロ）、（ロ）の距離を、出来るだけ狭くする磁石（ロ）、（ロ）の構成にすることによって、磁力（ロ）、（ロ）の持っている浄水効果を発揮させようとしたものである。対応する磁石の距離を出来るだけ狭くするためには、飲料水の給水管内に磁石（ロ）、（ロ）を対応させる配置にすれば、その効果が期待できる。我々の実験結果によると、磁石（ロ）、（ロ）の距離間は４〜８ｍｍの隙間にすると好結果が得られた。
【０００６】
そこで、本願発明は、上記課題を解決するために、鋭意研究の結果、飲料水を幅４〜８ｍｍの隙間になるよう配置された２つの磁石である内磁石（ロ）と外磁石（ロ）によって挟み込む通水路（へ）を有する本発明である飲料水用磁気活水器において、前記磁石（ロ）、（ロ）は同一の極を向き合わせて、複数の磁石を配列してなることを特徴とする水道管等の配管に連結することができる飲料水用磁気活水器とした。
【０００７】
即ち、中心コア（ト）の外側には内磁石（ロ）を、外筒の塩ビパイプ（ニ）の内側には外磁石（ロ）を、前記中心コア（ト）の外側の内磁石（ロ）から外筒の塩ビパイプ（ニ）の内側の外磁石（ロ）への磁力線が、飲料水の通水路（へ）に対して直角に作用するように配置するとともに、極性は前記中心コア（ト）の外側の内磁石（ロ）、外筒の塩ビパイプ（ニ）の内側の外磁石（ロ）共にＮ極、Ｓ極を交互に配置し、前記内磁石（ロ）及び外磁石（ロ）の両端に磁性体リング（ハ）を設けたことを特徴とする飲料水用磁気活水器の構成とした。
【発明の効果】
【０００８】
本発明によれば、強力でかつ水質改善効果の大きく、メンテナンスフリーの構造の飲料水用磁気活水器を提供する事が出来たのである。
【発明を実施するための最良の形態】
【０００９】
図１は本願発明である飲料水用磁気活水器の一実施例の外観を示した図、図２は本発明である飲料用磁気活水器の図１中のＡ−Ｂに沿ったの横断面図、図３は、本発明である飲料用磁気活水器の通水路拡大図であり、本願発明である飲料水用磁気活水器の一実施例であるマグネット極性位置説明図である。図４は、本願発明である飲料水用磁気活水器の一実施例の縦横断面図である。本発明の飲料水用磁気活水器は、飲料水配管を一部切断して、インラインとして使用される。
【実施例１】
【００１０】
以下に、添付図面に基づいて、本発明である飲料水用磁気活水器について詳細に説明する。図１は、本発明である飲料水用磁気活水器の外観を示した図である。符号（イ）は外管を示す。比較的条件の悪い設置場所(例えば地中等)にも設置できる様に、外管（イ）は、さびないＳＵＳ材を使用している。
【００１１】
図２は、本願発明である飲料水用磁気活水器の一実施例の縦断面構造図である。即ち、本発明である飲料用磁気活水器を示した図１中のＡ−Ｂに沿った横断面図である。
【００１２】
この横断面構造図は、磁石（ロ）、（ロ）の距離を出来るだけ狭くするため構造を示している。即ち、対応する磁石（ロ）、（ロ）の距離を出来るだけ狭くするため中心コア（ト）の外側に内磁石（ロ）、外筒の塩ビパイプ（ニ）の内側に外磁石（ロ）を配置した。
【００１３】
図３の磁石極性位置説明図は、磁石の極性を出来るだけ水質改善効果を上げる為の構造配列を示している。極性は、中心コア（ト）の外側の内磁石（ロ）、外筒の塩ビパイプ（ニ）の内側の外磁石（ロ）共にＮ極、Ｓ極を交互に配置した構造を示している。
【００１４】
さらに、磁石効果を充分に発揮する為に、中心コア（ト）の外側の内磁石（ロ）、外筒の塩ビパイプ（ニ）の内側の外磁石（ロ）共に、磁石（ロ）、（ロ）の両端に磁性体リング（ハ）を設け磁力線の漏洩防止を図ると共に、中心コア（ト）の外側の内磁石（ロ）から外筒の塩ビパイプ（ニ）の内側の外磁石（ロ）への磁力線が、飲料水の通水路（へ）に対して、直角に作用するようにしてある。このことにより、磁石（ロ）、（ロ）の保有している水質改善効果をムダ無く十二分に発揮できる構造を示している。
【００１５】
図４の横断面構造図は、本発明の磁石間の距離を出来るだけ狭くするため中心コア（ト）の外側に内磁石（ロ）と外筒の塩ビパイプ（ニ）の内側の外磁石（ロ）間の距離は４〜６ｍｍとし、飲料水通水量の確保と同時に磁石効果を充分に発揮するように考慮されていることを示した。
【００１６】
これにより、従来の家庭用磁気浄水器の様に磁石が給水管を外から挟み込む方法に比較して、約千倍の磁気効果が確保され、磁石の保有する水質改善効果はムダなく発揮されることになる。
【００１７】
本願発明である飲料水用磁気活水器の構造部分は、ＳＵＳ材の外管（イ）、塩ビ加工品の中心コア（ト）及びネオジ系磁石（ロ）、（ロ）等で形成されており、メンテナンスフリーの構造となっている。
【図面の簡単な説明】
【００１８】
【図１】図１は、本発明の飲料水用磁気活水器の一実施例の外観を示した図である。
【図２】図２は、本発明である飲料用磁気活水器の図１中のＡ−Ｂに沿ったの横断面図である。
【図３】図３は、本発明である飲料用磁気活水器の通水路拡大図である。
【図４】図４は、本発明である飲料用磁気活水器の図１中のＣ−Ｄに沿った縦断面図である。
【符号の説明】
【００１９】
イ  外管
ロ  磁石
ハ  磁性体リング
ニ  塩ビパイプ
ホ  スペーサー
ヘ  通水路
ト  中心コア
【手続補正３】
【補正対象書類名】図面
【補正対象項目名】図１
【補正方法】変更
【補正の内容】
【図１】
2005034759.tif 000001
【手続補正４】
【補正対象書類名】図面
【補正対象項目名】図２
【補正方法】変更
【補正の内容】
【図２】
2005034759.tif 000002
【手続補正５】
【補正対象書類名】図面
【補正対象項目名】図３
【補正方法】変更
【補正の内容】
【図３】
2005034759.tif 000003
【手続補正６】
【補正対象書類名】図面
【補正対象項目名】図４
【補正方法】変更
【補正の内容】
【図４】
2005034759.tif 000004